(57)【特許請求の範囲】
【請求項１】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記基地局に、
前記移動局からの位置登録トラヒック量を測定する測定手段と、
前記測定手段で測定された位置登録トラヒック量が予め定められた閾値よりも低い場合に、前記多重化された位置登録エリアのうち複数の交換局に跨る位置登録エリアの位置登録エリア情報を前記移動局へ非通知状態とし、前記位置登録トラヒック量が前記閾値以上の場合に通知状態とする制御を行う第１の制御手段と
を備えたことを特徴とする移動通信システム。
【請求項２】
前記複数の交換局に跨る位置登録エリアに割り当てられた各無線ゾーンの内、無線ゾーンを形成する基地局に、前記測定手段および前記第１の制御手段に加え、前記測定手段で測定された位置登録トラヒック量が前記閾値よりも低いか前記閾値以上かの判定結果を、前記複数の交換局を介して他の無線ゾーンを形成する基地局に通知する通知手段を備え、
前記他の無線ゾーンを形成する基地局には、前記通知された判定結果に応じて前記非通知状態および前記通知状態を制御する第２の制御手段を備えたことを特徴とする請求項１に記載の移動通信システム。
【請求項３】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記交換局に、
自交換局と他交換局とを跨る位置登録エリアに割り当てられた無線ゾーンを形成する基地局を特定する特定手段と、
前記特定手段で特定された基地局における移動局からの位置登録トラヒック量を測定する測定手段と、
前記測定手段で測定された位置登録トラヒック量が予め定められた閾値よりも低い場合に、前記特定手段で特定された基地局に対して、前記自交換局と他交換局とを跨る位置登録エリアの位置登録エリア情報を移動局へ非通知とする指示を行い、前記位置登録トラヒック量が前記閾値以上の場合に通知する指示を行う指示手段と
を備えたことを特徴とする移動通信システム。
【請求項４】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記交換局に、
自交換局と他交換局とを跨る位置登録エリアに割り当てられた無線ゾーンを形成する基地局を特定する特定手段と、
自交換局と他交換局との間で通信される信号のトラヒック量を測定する測定手段と、
前記測定手段で測定されたトラヒック量が予め定められた閾値よりも高い場合に、前記特定手段で特定された基地局に対して、前記自交換局と他交換局とを跨る位置登録エリアの位置登録エリア情報を移動局へ非通知とする指示を行い、前記トラヒック量が前記閾値以下の場合に通知する指示を行う指示手段と
を備えたことを特徴とする移動通信システム。
【請求項５】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記交換局に、
自交換局と他交換局とを跨る位置登録エリアに割り当てられた無線ゾーンを形成する基地局を特定する特定手段と、
前記特定手段で特定された基地局を介して移動局へ通知される呼出信号のトラヒック量を測定する測定手段と、
前記測定手段で測定されたトラヒック量が予め定められた閾値よりも高い場合に、前記特定手段で特定された基地局に対して、前記自交換局と他交換局とを跨る位置登録エリアの位置登録エリア情報を移動局へ非通知とする指示を行い、前記トラヒック量が前記閾値以下の場合に通知する指示を行う指示手段と
を備えたことを特徴とする移動通信システム。
【請求項６】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記基地局に、
前記交換局からの呼出信号トラヒック量を測定する測定手段と、
前記測定手段で測定された呼出信号トラヒック量が予め定められた閾値よりも高い場合に、前記多重化された位置登録エリアのうち複数の交換局に跨る位置登録エリアの位置登録エリア情報を前記移動局へ非通知状態とし、前記呼出信号トラヒック量が前記閾値以下の場合に通知状態とする制御を行う制御手段と
を備えたことを特徴とする移動通信システム。
【請求項７】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記基地局に、
時刻を計時する計時手段と、
前記移動局からの位置登録トラヒックが所定値以上集中する時間帯を記憶する記憶手段と、
前記計時手段での計時時刻が前記記憶手段に記憶された時間帯に該当しない場合、前記多重化された位置登録エリアのうち複数の交換局に跨る位置登録エリアの位置登録エリア情報を前記移動局へ非通知状態とし、前記時間帯に該当する場合に通知状態とする制御を行う制御手段と
を備えたことを特徴とする移動通信システム。
【請求項８】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおいて、
前記交換局に、
自交換局と他交換局とを跨る位置登録エリアに割り当てられた無線ゾーンを形成する基地局を特定する特定手段と、
時刻を計時する計時手段と、
前記特定手段で特定される基地局の位置登録トラヒックが所定値以上集中する時間帯を記憶する記憶手段と、
前記計時手段での計時時刻が前記記憶手段に記憶された時間帯に該当しない場合、前記特定手段で特定された基地局に対して、前記自交換局と他交換局とを跨る位置登録エリアの位置登録エリア情報を移動局へ非通知とする指示を行い、前記時間帯に該当する場合に通知する指示を行う指示手段と
を備えたことを特徴とする移動通信システム。
【請求項９】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記基地局は、
前記移動局からの位置登録トラヒック量を測定する測定ステップと、
前記測定ステップで測定された位置登録トラヒック量が予め定められた閾値よりも低い場合に、前記多重化された位置登録エリアのうち複数の交換局に跨る位置登録エリアの位置登録エリア情報を前記移動局へ非通知状態とし、前記位置登録トラヒック量が前記閾値以上の場合に通知状態とする制御を行う第１の制御ステップと
を実行することを特徴とする移動通信システムにおける位置登録制御方法。
【請求項１０】
前記複数の交換局に跨る位置登録エリアに割り当てられた各無線ゾーンの内、無線ゾーンを形成する基地局に、前記測定ステップおよび前記第１の制御ステップに加え、前記測定ステップで測定された位置登録トラヒック量が前記閾値よりも低いか前記閾値以上かの判定結果を、前記複数の交換局を介して他の無線ゾーンを形成する基地局に通知する通知ステップを備え、
前記他の無線ゾーンを形成する基地局には、前記通知された判定結果に応じて前記非通知状態および前記通知状態を制御する第２の制御ステップ
を実行することを特徴とする請求項９に記載の移動通信システムにおける位置登録制御方法。
【請求項１１】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記交換局は、
自交換局と他交換局とを跨る位置登録エリアに割り当てられた無線ゾーンを形成する基地局を特定する特定ステップと、
前記特定ステップで特定された基地局における移動局からの位置登録トラヒック量を測定する測定ステップと、
前記測定ステップで測定された位置登録トラヒック量が予め定められた閾値よりも高い場合に、前記特定ステップで特定された基地局に対して、前記自交換局と他交換局とを跨る位置登録エリアの位置登録エリア情報を移動局へ非通知とする指示を行い、前記位置登録トラヒック量が前記閾値以上の場合に通知する指示を行う指示ステップと
を実行することを特徴とする移動通信システムにおける位置登録制御方法。
【請求項１２】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記交換局は、
自交換局と他交換局とを跨る位置登録エリアに割り当てられた無線ゾーンを形成する基地局を特定する特定ステップと、
自交換局と他交換局との間で通信される信号のトラヒック量を測定する測定ステップと、
前記測定ステップで測定されたトラヒック量が予め定められた閾値よりも高い場合に、前記特定ステップで特定された基地局に対して、前記自交換局と他交換局とを跨る位置登録エリアの位置登録エリア情報を移動局へ非通知とする指示を行い、前記トラヒック量が前記閾値以下の場合に通知する指示を行う指示ステップと
を実行することを特徴とする移動通信システムにおける位置登録制御方法。
【請求項１３】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記交換局は、
自交換局と他交換局とを跨る位置登録エリアに割り当てられた無線ゾーンを形成する基地局を特定する特定ステップと、
前記特定ステップで特定された基地局を介して移動局へ通知される呼出信号のトラヒック量を測定する測定ステップと、
前記測定ステップで測定されたトラヒック量が予め定められた閾値よりも高い場合に、前記特定ステップで特定された基地局に対して、前記自交換局と他交換局とを跨る位置登録エリアの位置登録エリア情報を移動局へ非通知とする指示を行い、前記トラヒック量が前記閾値以下の場合に通知する指示を行う指示ステップと
を実行することを特徴とする移動通信システムにおける位置登録制御方法。
【請求項１４】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記基地局は、
前記交換局からの呼出信号トラヒック量を測定する測定ステップと、
前記測定ステップで測定された呼出信号トラヒック量が予め定められた閾値よりも高い場合に、前記多重化された位置登録エリアのうち複数の交換局に跨る位置登録エリアの位置登録エリア情報を前記移動局へ非通知状態とし、前記呼出信号トラヒック量が前記閾値以下の場合に通知状態とする制御を行う制御ステップと
を実行することを特徴とする移動通信システムにおける位置登録制御方法。
【請求項１５】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記基地局は、
時刻を計時する計時ステップと、
前記移動局からの位置登録トラヒックが所定値以上集中する時間帯を記憶する記憶ステップと、
前記計時ステップでの計時時刻が前記記憶ステップに記憶された時間帯に該当しない場合、前記多重化された位置登録エリアのうち複数の交換局に跨る位置登録エリアの位置登録エリア情報を前記移動局へ非通知状態とし、前記時間帯に該当する場合に通知状態とする制御を行う制御ステップと
を実行することを特徴とする移動通信システムにおける位置登録制御方法。
【請求項１６】
非重複状態で多重化された位置登録エリアに基地局の無線ゾーンが割り当てられた状態で、前記無線ゾーンに在圏する移動局に、前記基地局から位置登録エリア情報を通知する多重位置登録制御が適用された移動通信システムにおける位置登録制御方法において、
前記交換局は、
自交換局と他交換局とを跨る位置登録エリアに割り当てられた無線ゾーンを形成する基地局を特定する特定ステップと、
時刻を計時する計時ステップと、
前記特定ステップで特定される基地局の位置登録トラヒックが所定値以上集中する時間帯を記憶する記憶ステップと、
前記計時ステップでの計時時刻が前記記憶ステップに記憶された時間帯に該当しない場合、前記特定ステップで特定された基地局に対して、前記自交換局と他交換局とを跨る位置登録エリアの位置登録エリア情報を移動局へ非通知とする指示を行い、前記時間帯に該当する場合に通知する指示を行う指示ステップと
を実行することを特徴とする移動通信システムにおける位置登録制御方法。
【発明の詳細な説明】
【０００１】
【発明の属する技術分野】
本発明は、ディジタル移動通信システム等において通信網側の交換局から携帯端末機などの移動局に対して位置登録制御を行う移動通信システムおよび移動通信システムにおける位置登録制御方法に関するものである。
【０００２】
【従来の技術】
従来の移動通信システムにおける位置登録制御方法の代表的な例としてＰＤＣ(Personal Digital Cellular)システムが挙げられる。このＰＤＣシステムでは、移動局が何れの位置登録エリアに在圏するかを示す位置登録エリア情報を通信網に設けられた記憶手段で記憶することにより移動局を呼び出す際の呼出エリアを狭め、これによって呼出信号のトラヒックを下げる位置登録制御方法が用いられている。
【０００３】
このような位置登録制御を行う移動通信システムの構成を図１０に示し、その説明を行う。図１０は、従来の移動通信システムの構成図である。この図１０に示す移動通信システム１０は、電話又は専用回線などの上位通信網１２と、この上位通信網１２に有線接続された複数の交換局１４，１６，１８と、各交換局１４，１６，１８に有線接続された記憶装置２０と、上位通信網１２に接続された電話機やパーソナルコンピュータなどの通信端末機２２と、所定の交換局１６，１８に有線接続された図示せぬ複数の基地局と無線通信を行う移動局２４とを備えて構成されている。
【０００４】
また、各基地局からの送信電波によって移動局２４が無線通信を行うための各無線ゾーン３１〜３８が形成され、これら無線ゾーン３１〜３８が位置登録エリア４１〜４４に割り当てられている。但し、無線ゾーン３１と３２は位置登録エリア４１に割り当てられ、無線ゾーン３３と３４は位置登録エリア４２に、無線ゾーン３５と３６は位置登録エリア４３に、無線ゾーン３７と３８は位置登録エリア４４に割り当てられている。
【０００５】
また、各交換局１４，１６，１８は各々が直接上位通信網１２に接続されるのではなく、交換局１６のように交換局１４を介して上位通信網１２に接続されるものもある。
【０００６】
このような構成の移動通信システム１０において、移動局２４に対して位置登録制御が行われる場合の動作を説明する。但し、移動局２４が無線ゾーン３１，３２，３３，３４の順で移行する場合を例にとる。
【０００７】
移動局２４が無線ゾーン３１から３２へ移行する場合は、何れの無線ゾーン３１，３２も位置登録エリア４１に割り当てられているので、交換局１６から移動局２４へ制御チャネルによって通知される位置登録エリア情報は同一である。しかし、移動局２４が無線ゾーン３２から３３へ移行する場合、位置登録エリア４１から４２へ跨るため、移動局２４は無線ゾーン３３に移行した際に位置登録エリア情報の変化を検出し、交換局１６へ位置登録エリアの更新要求を行う。この要求は制御チャネルに重畳される位置登録信号（図中の波線矢印）によって行われる。
【０００８】
この位置登録信号による位置登録エリアの更新要求を受けた交換局１６は、記憶装置２０に記憶された移動局２４に関する位置登録エリア情報を、位置登録エリア４１から４２の情報に更新記憶する。その後、通信端末機２２から実線矢印で示す呼出信号により移動局２４に対して呼出要求が発生した場合、交換局１４が上位通信網１２を介してその呼出信号を受信し、記憶装置２０から移動局２４に関する位置登録エリア情報を取得し、この取得情報に応じて交換局１６を介して無線ゾーン３３に在圏する移動局２４へ呼出信号を転送する。
【０００９】
このように移動通信システム１０において位置登録制御が行われ、移動局２４に対する呼出要求発生時に呼出信号が適正に送信される。しかし、特定時間などに集中する無線ゾーン、例えば電車の線路が集中する無線ゾーンでは、ラッシュ時などに大勢の携帯電話機所持ユーザが集まるため位置登録トラヒックが集中し、その無線ゾーンの負荷が増加することになる。
【００１０】
このような位置登録トラヒックの集中を回避する方法として、多重位置登録制御方法が考えられている。この多重位置登録制御方法は、位置登録エリア境界において、位置登録トラヒックが集中する無線ゾーンの制御チャネルの圧迫を回避することによってシステムの加入者量を拡大する方法であり、無線ゾーンを、エリア端が重ならない複数の位置登録エリアに割り当て、更に複数の群に分けられた移動局を複数の位置登録エリアに振り分けて割り当てることにより、移動局が位置登録を行う無線ゾーンを、分散させるものである。
【００１１】
この多重位置登録制御方法を図１１を参照して説明する。図１１は、従来の多重位置登録制御方法が適用された移動通信システムの構成図である。
【００１２】
この図１１に示す移動通信システム５０は、電話又は専用回線などの上位通信網５２と、この上位通信網５２に有線接続された複数の交換局５４，５６，５８と、各交換局５４，５６，５８に有線接続された記憶装置６０と、上位通信網５２に接続された電話機やパーソナルコンピュータなどの通信端末機６２と、所定の交換局５６，５８に有線接続された図示せぬ複数の基地局と無線通信を行う移動局６４，６６とを備えて構成されている。
【００１３】
また、各基地局からの送信電波によって移動局６４，６６が無線通信を行うための各無線ゾーン７１〜７８が形成され、これら無線ゾーン７１〜７８が第１群の位置登録エリア８１〜８４および第２群の位置登録エリア９０〜９４に割り当てられている。但し、各位置登録エリア８１〜８４および９０〜９４は、郡内ではエリア端が重なるが、群間では重ならないように構成されている。また、各無線ゾーン７１〜７８は各々が、２つの位置登録エリアに割り当てられる構成となっており、無線ゾーン７１は第１群および第２群の位置登録エリア８１，９０の双方に割り当てられ、無線ゾーン７２は第１群および第２群の位置登録エリア８１，９１の双方に、無線ゾーン７３は第１群および第２群の位置登録エリア８２，９１の双方に、無線ゾーン７４は第１群および第２群の位置登録エリア８２，９２の双方に、無線ゾーン７５は第１群および第２群の位置登録エリア８３，９２の双方に、無線ゾーン７６は第１群および第２群の位置登録エリア８３，９３の双方に、無線ゾーン７７は第１群および第２群の位置登録エリア８４，９３の双方に、無線ゾーン７８は第１群および第２群の位置登録エリア８４，９４の双方に割り当てられている。
【００１４】
また、各交換局５４，５６，５８は各々が直接上位通信網５２に接続されるのではなく、交換局５６のように交換局５４を介して上位通信網５２に接続されるものもある。更に、この移動通信システム５０では、各無線ゾーン７１〜７８に在圏する移動局が各位置登録エリア群に対応する第１群および第２群の２つに分けられ、この例では移動局６４が第１群、移動局６６が第２群に属している。
【００１５】
また各無線ゾーン７１〜７８では、各々に在圏する移動局に対して、各無線ゾーン７１〜７８に割り当てられている第１群および第２群の位置登録エリアの位置登録エリア情報（以下、第１群の位置登録エリア情報、第２群の位置登録エリア情報という）が通知される。この際、第１群の移動局６４は第１群の位置登録エリア情報を認識し、第２群の移動局６６は第２群の位置登録エリア情報を認識する。
【００１６】
ここで、第１群と第２群の位置登録エリアは互いに重ならないように形成されているため、第１群の移動局６４がゾーン移行に伴い第１群の位置登録エリア情報の変化を検出して位置登録要求を送信する無線ゾーンと、第２群の移動局６６がゾーン移行に伴い第２群の位置登録エリア情報の変化を検出して位置登録要求を送信する無線ゾーンとを、異なる無線ゾーンに分散することができる。これによって無線ゾーン当たりの位置登録トラヒック量を抑えることができるようになっている。
【００１７】
このような構成の移動通信システム５０において、第１群の移動局６４に対して位置登録制御が行われる場合の動作を説明する。但し、移動局６４が無線ゾーン７１，７２，７３，７４の順で移行する場合を例にとる。移動局６４は無線ゾーン７２から７３に移行すると、交換局５６からの第１群の位置登録エリア情報が位置登録エリア８１から８２の情報に変化したことを検出し、無線ゾーン７３にて位置登録エリア８２の位置登録信号を交換局５６へ送信する。その後、移動局６４が無線ゾーン７４に移行しても位置登録エリア８２は同じなので位置登録要求は発生しない。
【００１８】
ここで、無線ゾーン７３又は７４に在圏する移動局６４に対して、通信端末機２２から実線矢印で示す呼出信号により呼出要求が発生した場合、交換局５４が上位通信網５２を介してその呼出信号を受信し、記憶装置６０から移動局６４に関する位置登録エリア情報を取得し、この取得情報から移動局６４が位置登録エリア８２に在圏することを認識し、交換局５６を介して無線ゾーン７３又は７４に在圏する移動局６４へ呼出信号を転送する。
【００１９】
一方、第２群の移動局６６が無線ゾーン７１，７２，７３，７４の順で移行する場合の位置登録制御の動作を、図１２を参照して説明する。但し、図１２は図１１と同構成である。
【００２０】
移動局６６が無線ゾーン７２から７３に移行した場合は、何れの無線ゾーン７２，７３も同一位置登録エリア８２に割り当てられているので位置登録要求は発生しない。しかし、移動局６６が無線ゾーン７３から７４に移行すると、位置登録エリア９１と９２に跨るため、移動局６６は、交換局５６からの第２群の位置登録エリア情報が位置登録エリア９１から９２の情報に変化したことを検出し、無線ゾーン７４にて位置登録エリア９２の位置登録信号を交換局５６へ送信する。
【００２１】
このように図１１又は図１２のような多重位置登録エリア構成をとった場合、第１群および第２群の移動局６４，６６で各々が位置登録信号を送信する無線ゾーンを７３と７４に分散することができる。つまり、図１０に示した構成では１つの無線ゾーンに集中していた位置登録トラヒックの一部を他の無線ゾーンに分散することができる。
【００２２】
【発明が解決しようとする課題】
上記従来の移動通信システムにおいて、多重位置登録制御方法が適用されている際に、例えば図１２において、無線ゾーン７４に在圏する移動局６６に対して通信端末機６２から呼出要求が発生した場合、交換局５４は、上位通信網５２を介してその呼出信号を受信し、記憶装置６０から移動局６６に関する位置登録エリア情報を取得し、この取得情報から移動局６６が位置登録エリア９２に在圏することを認識する。しかし、位置登録エリア９２は、交換局５６，５８の双方に割り当てられているため、交換局５４は、その双方の交換局５６、５８に呼出信号を転送する必要が生じる。この転送を行うには、交換局５４が５６を介して５８に転送するか、５６および５８各々に直接転送することが考えられるが、何れの場合にも、交換局間の信号トラヒックが増加することになり、これに伴い交換局の信号処理負荷が増加することになる。
【００２３】
言い換えれば、多重位置登録制御方法においては、無線ゾーンが割り当てられた１つ又は複数の位置登録エリアの内、複数の交換局を跨って配置される位置登録エリアが存在する場合がある。この場合、複数の交換局からの呼び出し経路を有する１つの移動局に対して呼び出しを行うため、複数の交換局において呼出信号を中継する必要が生じ、このため図１０の構成のように多重位置登録制御を行わない場合と比較して、交換局間の信号トラヒックおよび交換局の信号処理負荷が増加することになる。
【００２４】
そこで本発明は、移動局が特定時間などに集中する無線ゾーンでの位置登録トラヒックの集中を抑制し、また交換局間の信号トラヒックおよび交換局の信号処理負荷の増加を抑制することができる移動通信システムおよび移動通信システムにおける位置登録制御方法を提供することを課題とする。
【００２５】
【課題を解決するための手段】
上記課題を解決するために、本発明の移動通信システムは、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおいて、上記基地局に、上記移動局からの位置登録トラヒック量を測定する測定手段と、上記測定手段で測定された位置登録トラヒック量が予め定められた閾値よりも低い場合に、上記多重化された位置登録エリアのうち複数の交換局に跨る位置登録エリアの位置登録エリア情報を上記移動局へ非通知状態とし、上記位置登録トラヒック量が上記閾値以上の場合に通知状態とする制御を行う第１の制御手段とを備えたことを特徴としている。
【００２６】
位置登録トラヒック量が低い場合に、位置登録を行った移動局について、呼び出すエリアが交換局を跨らないので、複数の交換局において呼出信号を中継する必要性を減らすことができる。一方、位置登録トラヒック量が高い場合は、移動局が位置登録信号を送信する無線ゾーンを、複数の無線ゾーンに分散することができる。
【００２７】
また、本発明の移動通信システムにおいては、上記複数の交換局に跨る位置登録エリアに割り当てられた各無線ゾーンの内、無線ゾーンを形成する基地局に、上記測定手段および上記第１の制御手段に加え、上記測定手段で測定された位置登録トラヒック量が上記閾値よりも低いか上記閾値以上かの判定結果を、上記複数の交換局を介して他の無線ゾーンを形成する基地局に通知する通知手段を備え、上記他の無線ゾーンを形成する基地局には、上記通知された判定結果に応じて上記非通知状態および上記通知状態を制御する第２の制御手段を備えたことを特徴としている。
【００２８】
複数の交換局に跨る位置登録エリアに割り当てられた各無線ゾーンの内、無線ゾーンを形成する基地局を除く他の基地局には測定手段が不要となるので、その分、移動通信システム全体の構成を簡略化することができる。
【００２９】
上記課題を解決するために、本発明の移動通信システムは、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおいて、上記交換局に、自交換局と他交換局とを跨る位置登録エリアに割り当てられた無線ゾーンを形成する基地局を特定する特定手段と、上記特定手段で特定された基地局における移動局からの位置登録トラヒック量を測定する測定手段と、上記測定手段で測定された位置登録トラヒック量が予め定められた閾値よりも低い場合に、上記特定手段で特定された基地局に対して、上記自交換局と他交換局とを跨る位置登録エリアの位置登録エリア情報を移動局へ非通知とする指示を行い、上記位置登録トラヒック量が上記閾値以上の場合に通知する指示を行う指示手段とを備えたことを特徴としている。
【００３０】
位置登録トラヒック量が低い場合に、位置登録を行った移動局について、呼び出すエリアが交換局を跨らないので、複数の交換局において呼出信号を中継する必要性を減らすことができる。一方、位置登録トラヒック量が高い場合は、移動局が位置登録信号を送信する無線ゾーンを、複数の無線ゾーンに分散することができる。
【００３１】
上記課題を解決するために、本発明の移動通信システムは、非重複状態で多重化された位置登録エリアに基地局の無線ゾーンが割り当てられた状態で、上記無線ゾーンに在圏する移動局に、上記基地局を介して位置登録エリア情報を通知する多重位置登録制御が適用された移動通信システムにおいて、上記交換局に、自交換局と他交換局とを跨る位置登録エリアに割り当てられた無線ゾーンを形成する基地局を特定する特定手段と、自交換局と他交換局との間で通信される信号のトラヒック量を測定する測定手段と、上記測定手段で測定されたトラヒック量が予め定められた閾値よりも高い場合に、上記特定手段で特定された基地局に対して、上記自交換局と他交換局とを跨る位置登録エリアの位置登録エリア情報を移動局へ非通知とする指示を行い、上記トラヒック量が上記閾値以下の場合に通知する指示を行う指示手段とを備えたことを特徴としている。
【００３２】
交換局間信号トラヒック量が高い場合に、位置登録を行った移動局について、呼び出すエリアが交換局を跨らないので、複数の交換局において呼出信号を中継する必要性を減らすことができる。一方、交換局間信号トラヒック量が低い場合は、移動局が位置登録信号を送信する無線ゾーンを、複数の無線ゾーンに分散することができる。
【００３３】
上記課題を解決するために、本発明の移動通信システムは、非重複状態で多重化された位置登録エリアに基地局の無線ゾーンが割り当てられた状態で、上記無線ゾーンに在圏する移動局に、上記基地局を介して位置登録エリア情報を通知する多重位置登録制御が適用された移動通信システムにおいて、上記交換局に、自交換局と他交換局とを跨る位置登録エリアに割り当てられた無線ゾーンを形成する基地局を特定する特定手段と、上記特定手段で特定された基地局を介して移動局へ通知される呼出信号のトラヒック量を測定する測定手段と、上記測定手段で測定されたトラヒック量が予め定められた閾値よりも高い場合に、上記特定手段で特定された基地局に対して、上記自交換局と他交換局とを跨る位置登録エリアの位置登録エリア情報を移動局へ非通知とする指示を行い、上記トラヒック量が上記閾値以下の場合に通知する指示を行う指示手段とを備えたことを特徴としている。
【００３４】
呼出信号トラヒック量が高い場合に、位置登録を行った移動局について、呼び出すエリアが交換局を跨らないので、複数の交換局において呼出信号を中継する必要性を減らすことができる。一方、呼出信号トラヒック量が低い場合は、移動局が位置登録信号を送信する無線ゾーンを、複数の無線ゾーンに分散することができる。
【００３５】
上記課題を解決するために、本発明の移動通信システムは、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおいて、上記基地局に、上記交換局からの呼出信号トラヒック量を測定する測定手段と、上記測定手段で測定された呼出信号トラヒック量が予め定められた閾値よりも高い場合に、上記多重化された位置登録エリアのうち複数の交換局に跨る位置登録エリアの位置登録エリア情報を上記移動局へ非通知状態とし、上記呼出信号トラヒック量が上記閾値以下の場合に通知状態とする制御を行う制御手段とを備えたことを特徴としている。
【００３６】
移動局への呼出信号トラヒック量が高い場合に、位置登録を行った移動局について、呼び出すエリアが交換局を跨らないので、複数の交換局において呼出信号を中継する必要性を減らすことができる。一方、呼出信号トラヒック量が低い場合は、移動局が位置登録信号を送信する無線ゾーンを、複数の無線ゾーンに分散することができる。
【００３７】
上記課題を解決するために、本発明の移動通信システムは、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおいて、上記基地局に、時刻を計時する計時手段と、上記移動局からの位置登録トラヒックが所定値以上集中する時間帯を記憶する記憶手段と、上記計時手段での計時時刻が上記記憶手段に記憶された時間帯に該当しない場合、上記多重化された位置登録エリアのうち複数の交換局に跨る位置登録エリアの位置登録エリア情報を上記移動局へ非通知状態とし、上記時間帯に該当する場合に通知状態とする制御を行う制御手段とを備えたことを特徴としている。
【００３８】
計時時刻（現在時刻）が、位置登録トラヒックが所定値以上集中する時間帯に該当しない場合に、位置登録を行った移動局について、呼び出すエリアが交換局を跨らないので、複数の交換局において呼出信号を中継する必要性を減らすことができる。一方、該当する場合、移動局が位置登録信号を送信する無線ゾーンを、複数の無線ゾーンに分散することができる。
【００３９】
上記課題を解決するために、本発明の移動通信システムは、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおいて、上記交換局に、自交換局と他交換局とを跨る位置登録エリアに割り当てられた無線ゾーンを形成する基地局を特定する特定手段と、時刻を計時する計時手段と、上記特定手段で特定される基地局の位置登録トラヒックが所定値以上集中する時間帯を記憶する記憶手段と、上記計時手段での計時時刻が上記記憶手段に記憶された時間帯に該当しない場合、上記特定手段で特定された基地局に対して、上記自交換局と他交換局とを跨る位置登録エリアの位置登録エリア情報を移動局へ非通知とする指示を行い、上記時間帯に該当する場合に通知する指示を行う指示手段とを備えたことを特徴としている。
【００４０】
計時時刻（現在時刻）が、位置登録トラヒックが所定値以上集中する時間帯に該当しない場合に、位置登録を行った移動局について、呼び出すエリアが交換局を跨らないので、複数の交換局において呼出信号を中継する必要性を減らすことができる。一方、該当する場合、移動局が位置登録信号を送信する無線ゾーンを、複数の無線ゾーンに分散することができる。
【００４１】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおける位置登録制御方法において、上記基地局は、上記移動局からの位置登録トラヒック量を測定する測定ステップと、上記測定ステップで測定された位置登録トラヒック量が予め定められた閾値よりも低い場合に、上記多重化された位置登録エリアのうち複数の交換局に跨る位置登録エリアの位置登録エリア情報を上記移動局へ非通知状態とし、上記位置登録トラヒック量が上記閾値以上の場合に通知状態とする制御を行う第１の制御ステップとを実行することを特徴としている。
【００４２】
位置登録トラヒック量が低い場合に、位置登録を行った移動局について、呼び出すエリアが交換局を跨らないので、複数の交換局において呼出信号を中継する必要性を減らすことができる。一方、位置登録トラヒック量が高い場合は、移動局が位置登録信号を送信する無線ゾーンを、複数の無線ゾーンに分散することができる。
【００４３】
また、本発明の移動通信システムにおける位置登録制御方法は、上記複数の交換局に跨る位置登録エリアに割り当てられた各無線ゾーンの内、無線ゾーンを形成する基地局に、上記測定ステップおよび上記第１の制御ステップに加え、上記測定ステップで測定された位置登録トラヒック量が上記閾値よりも低いか上記閾値以上かの判定結果を、上記複数の交換局を介して他の無線ゾーンを形成する基地局に通知する通知ステップを備え、上記他の無線ゾーンを形成する基地局には、上記通知された判定結果に応じて上記非通知状態および上記通知状態を制御する第２の制御ステップのみを実行することを特徴としている。
【００４４】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおける位置登録制御方法において、上記交換局は、自交換局と他交換局とを跨る位置登録エリアに割り当てられた無線ゾーンを形成する基地局を特定する特定ステップと、上記特定ステップで特定された基地局における移動局からの位置登録トラヒック量を測定する測定ステップと、上記測定ステップで測定された位置登録トラヒック量が予め定められた閾値よりも低い場合に、上記特定ステップで特定された基地局に対して、上記自交換局と他交換局とを跨る位置登録エリアの位置登録エリア情報を移動局へ非通知とする指示を行い、上記位置登録トラヒック量が上記閾値以上の場合に通知する指示を行う指示ステップとを実行することを特徴としている。
【００４５】
位置登録トラヒック量が低い場合に、位置登録を行った移動局について、呼び出すエリアが交換局を跨らないので、複数の交換局において呼出信号を中継する必要性を減らすことができる。一方、位置登録トラヒック量が高い場合は、移動局が位置登録信号を送信する無線ゾーンを、複数の無線ゾーンに分散することができる。
【００４６】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局を介して位置登録エリア情報を通知する多重位置登録制御が適用された移動通信システムにおける位置登録制御方法において、上記交換局は、自交換局と他交換局とを跨る位置登録エリアに割り当てられた無線ゾーンを形成する基地局を特定する特定ステップと、自交換局と他交換局との間で通信される信号のトラヒック量を測定する測定ステップと、上記測定ステップで測定されたトラヒック量が予め定められた閾値よりも高い場合に、上記特定ステップで特定された基地局に対して、上記自交換局と他交換局とを跨る位置登録エリアの位置登録エリア情報を移動局へ非通知とする指示を行い、上記トラヒック量が上記閾値以下の場合に通知する指示を行う指示ステップとを実行することを特徴としている。
【００４７】
交換局間信号トラヒック量が高い場合に、位置登録を行った移動局について、呼び出すエリアが交換局を跨らないので、複数の交換局において呼出信号を中継する必要性を減らすことができる。一方、交換局間信号トラヒック量が低い場合は、移動局が位置登録信号を送信する無線ゾーンを、複数の無線ゾーンに分散することができる。
【００４８】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおける位置登録制御方法において、上記交換局は、自交換局と他交換局とを跨る位置登録エリアに割り当てられた無線ゾーンを形成する基地局を特定する特定ステップと、上記特定ステップで特定された基地局を介して移動局へ通知される呼出信号のトラヒック量を測定する測定ステップと、上記測定ステップで測定されたトラヒック量が予め定められた閾値よりも低い場合に、上記特定ステップで特定された基地局に対して、上記自交換局と他交換局とを跨る位置登録エリアの位置登録エリア情報を移動局へ非通知とする指示を行い、上記トラヒック量が上記閾値以上の場合に通知する指示を行う指示ステップとを実行することを特徴としている。
【００４９】
呼出信号トラヒック量が高い場合に、位置登録を行った移動局について、呼び出すエリアが交換局を跨らないので、複数の交換局において呼出信号を中継する必要を無くすことができる。一方、呼出信号トラヒック量が低い場合は、移動局が位置登録信号を送信する無線ゾーンを、複数の無線ゾーンに分散することができる。
【００５０】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおける位置登録制御方法において、上記基地局は、上記交換局からの呼出信号トラヒック量を測定する測定ステップと、上記測定ステップで測定された呼出信号トラヒック量が予め定められた閾値よりも高い場合に、上記多重化された位置登録エリアのうち複数の交換局に跨る位置登録エリアの位置登録エリア情報を上記移動局へ非通知状態とし、上記呼出信号トラヒック量が上記閾値以下の場合に通知状態とする制御を行う制御ステップとを実行することを特徴としている。
【００５１】
移動局への呼出信号トラヒック量が高い場合に、位置登録を行った移動局について、呼び出すエリアが交換局を跨らないので、複数の交換局において呼出信号を中継する必要性を減らすことができる。一方、呼出信号トラヒック量が低い場合は、移動局が位置登録信号を送信する無線ゾーンを、複数の無線ゾーンに分散することができる。
【００５２】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおける位置登録制御方法において、上記基地局は、時刻を計時する計時ステップと、上記移動局からの位置登録トラヒックが所定値以上集中する時間帯を記憶する記憶ステップと、上記計時ステップでの計時時刻が上記記憶ステップに記憶された時間帯に該当しない場合、上記多重化された位置登録エリアのうち複数の交換局に跨る位置登録エリアの位置登録エリア情報を上記移動局へ非通知状態とし、上記時間帯に該当する場合に通知状態とする制御を行う制御ステップとを実行することを特徴としている。
【００５３】
計時時刻（現在時刻）が、位置登録トラヒックが所定値以上集中する時間帯に該当しない場合に、位置登録を行った移動局について、呼び出すエリアが交換局を跨らないので、複数の交換局において呼出信号を中継する必要性を減らすことができる。一方、該当する場合、移動局が位置登録信号を送信する無線ゾーンを、複数の無線ゾーンに分散することができる。
【００５４】
上記課題を解決するために、本発明の移動通信システムにおける位置登録制御方法は、非重複状態で多重化された位置登録エリアに基地局の無線ゾーンが割り当てられた状態で、上記無線ゾーンに在圏する移動局に、上記基地局から位置登録エリア情報を通知する多重位置登録制御が適用された移動通信システムにおける位置登録制御方法において、上記交換局は、自交換局と他交換局とを跨る位置登録エリアに割り当てられた無線ゾーンを形成する基地局を特定する特定ステップと、時刻を計時する計時ステップと、上記特定ステップで特定される基地局の位置登録トラヒックが所定値以上集中する時間帯を記憶する記憶ステップと、上記計時ステップでの計時時刻が上記記憶ステップに記憶された時間帯に該当しない場合、上記特定ステップで特定された基地局に対して、上記自交換局と他交換局とを跨る位置登録エリアの位置登録エリア情報を移動局へ非通知とする指示を行い、上記時間帯に該当する場合に通知する指示を行う指示ステップとを実行することを特徴としている。
【００５５】
計時時刻（現在時刻）が、位置登録トラヒックが所定値以上集中する時間帯に該当しない場合に、位置登録を行った移動局について、呼び出すエリアが交換局を跨らないので、複数の交換局において呼出信号を中継する必要性を減らすことができる。一方、該当する場合、移動局が位置登録信号を送信する無線ゾーンを、複数の無線ゾーンに分散することができる。
【発明の実施の形態】
本発明の実施形態にかかる多重位置登録制御方法が適用された移動通信システムについて図面を参照して説明する。
【００５６】
まず、第１の実施形態にかかる移動通信システムの構成について説明する。図１は第１の実施形態にかかる多重位置登録制御方法が適用された移動通信システムの構成図である。この図１に示す移動通信システム１００は、電話又は専用回線などの上位通信網１０２と、この上位通信網１０２に有線接続された複数の交換局１０４，１０６，１０８と、各交換局１０４，１０６，１０８に有線接続された記憶装置１１０と、上位通信網１０２に接続された電話機やパーソナルコンピュータなどの通信端末機１１２と、所定の交換局１０６，１０８に有線接続された複数の基地局（後述で説明）と無線通信を行う移動局１１４，１１６とを備えて構成されている。
【００５７】
また、各基地局からの送信電波によって移動局１１４，１１６が無線通信を行うための各無線ゾーン１２１〜１２８が形成され、これら無線ゾーン１２１〜１２８が第１群の位置登録エリア１３１〜１３４および第２群の位置登録エリア１４０〜１４４に割り当てられている。但し、各位置登録エリア１３１〜１３４および１４０〜１４４は、郡内ではエリア端が重なるが、群間では重ならないように構成されている。また、各無線ゾーン１２１〜１２８は各々が、２つの位置登録エリアに割り当てられる構成となっており、無線ゾーン１２１は第１群および第２群の位置登録エリア１３１，１４０の双方に割り当てられ、無線ゾーン１２２は第１群および第２群の位置登録エリア１３１，１４１の双方に、無線ゾーン１２３は第１群および第２群の位置登録エリア１３２，１４１の双方に、無線ゾーン１２４は第１群および第２群の位置登録エリア１３２，１４２の双方に、無線ゾーン１２５は第１群および第２群の位置登録エリア１３３，１４２の双方に、無線ゾーン１２６は第１群および第２群の位置登録エリア１３３，１４３の双方に、無線ゾーン１２７は第１群および第２群の位置登録エリア１３４，１４３の双方に、無線ゾーン１２８は第１群および第２群の位置登録エリア１３４，１４４の双方に割り当てられている。
【００５８】
また、各交換局１０４，１０６，１０８は各々が直接上位通信網１０２に接続されるのではなく、交換局１０６のように交換局１０４を介して上位通信網１０２に接続されるものもある。更に、この移動通信システム１００では、各無線ゾーン１２１〜１２８に在圏する移動局が各位置登録エリア群に対応する第１群および第２群の２つに分けられ、この例では移動局１１４が第１群、移動局１１６が第２群に属している。
【００５９】
また各無線ゾーン１２１〜１２８では、各々に在圏する移動局に対して、各無線ゾーン１２１〜１２８に割り当てられている第１群の位置登録エリア情報および第２群の位置登録エリア情報が通知される。この際、第１群の移動局は第１群の位置登録エリア情報を認識し、第２群の移動局は第２群の位置登録エリア情報を認識するようになっているが、２つの交換局１０６，１０８を跨る第２群の位置登録エリア１４２の位置登録エリア情報に関しては、第１群および第２群の移動局から送信される位置登録トラヒック量に応じて、移動局への通知が停止／開始制御されるようになっている。以下、２つの交換局１０６，１０８を跨る第２群の位置登録エリア１４２を、跨り位置登録エリア１４２といい、このエリア１４２の位置登録エリア情報を、跨り位置登録エリア情報と略すこともある。
【００６０】
その停止／開始制御は、基地局で行われる。この基地局を図２に示す。図２は、跨り位置登録エリア１４２に割り当てられた各無線ゾーン１２４，１２５を形成する基地局１５０，１５２を示す図である。これら基地局１５０，１５２は、図３に一方の基地局１５０を代表して示すように、位置登録トラヒック量測定部１６０と、識別情報記憶部１６２と、情報通知制御部１６４と、無線部１６６とを備えて構成されている。
【００６１】
位置登録トラヒック量測定部１６０は、図２に示す各無線ゾーン１２４，１２５に在圏する第１群および第２群の複数の移動局からの位置登録トラヒック量を測定する。識別情報記憶部１６２は、自基地局１５０の無線ゾーン１２４が割り当てられた第２群の位置登録エリア１４２が２つの交換局１０６，１０８に跨ることを識別する識別情報を記憶する。
【００６２】
情報通知制御部１６４は、位置登録トラヒック量測定部１６０で測定される位置登録トラヒック量が予め定められた閾値以上の場合、自基地局１５０の無線ゾーン１２４に在圏する移動局へ、無線ゾーン１２４が割り当てられた第１群および第２群双方の位置登録エリア１３２，１４２の位置登録エリア情報を無線部１６６から送信する制御を行う。一方、測定される位置登録トラヒック量が閾値よりも低い場合、識別情報記憶部１６２の識別情報で識別される跨り位置登録エリア情報の移動局への送信を停止する制御を行う。
【００６３】
続いて、第１の実施形態にかかる移動通信システム１００の動作について説明し、併せて、本発明の実施形態にかかる移動通信システムにおける位置登録制御方法について説明する。但し、図１に示す第２群の移動局１１６に対して位置登録制御が行われる場合の動作を説明する。ここでは、移動局１１６が無線ゾーン１２１，１２２，１２３，１２４の順で移行する場合を例にとる。
【００６４】
移動局１１６は無線ゾーン１２２および１２３に在圏する場合、第２群の位置登録エリア１４１の位置登録エリア情報を検出して保持する。その後、移動局１１６が無線ゾーン１２４へ移行したとする。この時、無線ゾーン１２４は無線ゾーン１２５と共に跨り位置登録エリア１４２に割り当てられているので、各無線ゾーン１２４，１２５の基地局１５０，１５２では、位置登録トラヒック量測定部１６０によって、各無線ゾーン１２４，１２５に在圏する第１群および第２群の複数の移動局からの位置登録トラヒック量が測定されている。
【００６５】
そして、情報通知制御部１６４によって、その測定された位置登録トラヒック量が閾値よりも低いと判定された場合、基地局１５０では、無線ゾーン１２４に在圏する移動局１１６への跨り位置登録エリア情報の送信が停止され、第１群の位置登録エリア１３２の位置登録エリア情報のみが移動局１１６へ送信される。同時に基地局１５２でも、無線ゾーン１２５への跨り位置登録エリア情報の送信が停止され、第１群の位置登録エリア１３３の位置登録エリア情報のみが送信される。
【００６６】
これによって、移動局１１６は、交換局１０６からの位置登録エリア情報が第２群の位置登録エリア１４１から第１群の位置登録エリア１３２の情報に変化したことを検出し、図１に波線矢印で示すように、無線ゾーン１２４にて位置登録エリア１３２の位置登録信号を交換局１０６へ送信する。交換局１０６は、その位置登録信号を受信して記憶装置１１０に記憶する。
【００６７】
ここで、無線ゾーン１２４に在圏する移動局１１６に対して、通信端末機１１２から実線矢印で示す呼出信号により呼出要求が発生した場合、交換局１０４が上位通信網１０２を介してその呼出信号を受信し、記憶装置１１０から移動局１１６に関する位置登録エリア情報を取得し、この取得情報から移動局１１６が位置登録エリア１３２に在圏することを認識し、この認識位置登録エリア１３２に割り当てられた無線ゾーン１２４を形成する基地局１５０へ交換局１０６を介して呼出信号を転送することによって、移動局１１６へ呼出信号を通知する。
【００６８】
その後、基地局１５０，１５２の情報通知制御部１６４によって、位置登録トラヒック量測定部１６０で測定された位置登録トラヒック量が閾値以上となったことが判定された場合、情報通知制御部１６４の制御によって跨り位置登録エリア情報の送信が開始される。この開始によって、基地局１５０では、無線ゾーン１２４に在圏する移動局１１６へ、無線ゾーン１２４が割り当てられた第１群および第２群双方の位置登録エリア１３２，１４２の位置登録エリア情報が無線部１６６から送信される。基地局１５２では、無線ゾーン１２５に在圏する移動局へ、無線ゾーン１２５が割り当てられた第１群および第２群双方の位置登録エリア１３３，１４２の位置登録エリア情報が無線部１６６から送信される。
【００６９】
これによって、移動局１１６は、交換局１０６からの位置登録エリア情報が跨り位置登録エリア情報に変化したことを検出し、無線ゾーン１２４にて跨り位置登録エリア１４２の位置登録信号を交換局１０６へ送信し、交換局１０６は、その位置登録信号を記憶装置１１０に記憶する。
【００７０】
続いて、第１の実施形態にかかる移動通信システムの作用及び効果について説明する。第１の実施形態にかかる移動通信システム１００においては、多重位置登録制御を行う場合に、基地局１５０（又は１５２）において、位置登録トラヒック量測定部１６０で移動局１１６からの位置登録トラヒック量を測定し、情報通知制御部１６４で、その測定された位置登録トラヒック量が予め定められた閾値よりも低い場合に、２重化位置登録エリアのうち２つの交換局１０６，１０８に跨る位置登録エリア１４２の位置登録エリア情報を移動局１１６へ非通知状態とし、位置登録トラヒック量が閾値以上の場合に通知状態とするようにした。
【００７１】
従って、位置登録トラヒック量が低い場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することが可能となる。一方、位置登録トラヒック量が高い場合は、跨り位置登録エリア情報が移動局１１６へ送信されるので、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【００７２】
この他、１つの跨り位置登録エリア１４２に割り当てられた各無線ゾーン１２４，１２５の内、無線ゾーン１２４を形成する基地局１５０に位置登録トラヒック量測定部１６０、識別情報記憶部１６２および情報通知制御部１６４に加え、位置登録トラヒック量測定部１６０で測定された位置登録トラヒック量が閾値よりも低いか閾値以上かの判定結果を、交換局１０６，１０８を介して他の無線ゾーン１２５を形成する基地局１５２に通知する通知手段を備え、他の無線ゾーン１２５を形成する基地局１５２に、その通知された判定結果に応じて跨り位置登録エリア情報の送信停止／開始を制御する情報通知制御手段を備える構成としてもよい。
【００７３】
次に、第２の実施形態にかかる移動通信システムについて説明する。第２の実施形態の移動通信システムの構成は、上述で説明した図１および図２に示す構成と同構成であるとするが、異なる点は、基地局に接続された各交換局１０６，１０８に、図４に一方の交換局１０６を代表して示すように、基地局特定部１７０と、位置登録トラヒック量測定部１７２と、情報通知指示部１７４と、通信部１７６とを備えて構成したことにある。
【００７４】
基地局特定部１７０は、自交換局１０６と他交換局１０８とを跨る位置登録エリア１４２に割り当てられた無線ゾーン１２４を形成する基地局１５０を特定する。位置登録トラヒック量測定部１７２は、基地局特定部１７０で特定された基地局１５０における移動局からの位置登録信号による位置登録トラヒック量を測定する。但し、位置登録信号は、通信部１７６で受信されるようになっている。
【００７５】
情報通知指示部１７４は、位置登録トラヒック量測定部１７２で測定される位置登録トラヒック量が予め定められた閾値以上の場合、基地局特定部１７０で特定された基地局１５０に対して、跨り位置登録エリア情報を移動局へ通知する指示を通信部１７６を介して行い、一方、測定される位置登録トラヒック量が閾値よりも低い場合に、跨り位置登録エリア情報を移動局へ非通知とする指示を行う。
【００７６】
続いて、第２の実施形態にかかる移動通信システムの動作について説明し、併せて、本発明の実施形態にかかる移動通信システムにおける位置登録制御方法について説明する。但し、図１に示す第２群の移動局１１６に対して位置登録制御が行われる場合の動作を説明する。
【００７７】
移動局１１６が、跨り位置登録エリア１４２に割り当てられた無線ゾーン１２４へ移行し、位置登録信号を、無線ゾーン１２４を形成する基地局１５０を介して交換局１０６へ送信したとする。この際、交換局１０６では、基地局特定部１７０によって基地局１５０が特定されているので、位置登録トラヒック量測定部１７２によって、基地局１５０の無線ゾーン１２４に在圏する移動局１１６を含む各移動局からの位置登録信号による位置登録トラヒック量が測定される。
【００７８】
そして、情報通知指示部１７４によって、その測定された位置登録トラヒック量が閾値よりも低いと判定された場合、特定基地局１５０に対して、跨り位置登録エリア情報を移動局１１６へ非通知とする指示が通信部１７６を介して行われる。この指示によって、基地局１５０では、無線ゾーン１２４に在圏する移動局１１６への跨り位置登録エリア情報の送信が停止され、第１群の位置登録エリア１３２の位置登録エリア情報のみが移動局１１６へ送信される。この場合、移動局１１６は、位置登録エリア１３２の位置登録信号を送信する。
【００７９】
その後、基地局１５０の情報通知指示部１７４によって、位置登録トラヒック量測定部１７２で測定された位置登録トラヒック量が閾値以上となったことが判定された場合、特定基地局１５０に対して、跨り位置登録エリア情報を移動局１１６へ通知する指示が通信部１７６を介して行われる。この指示によって、基地局１５０では、移動局１１６への跨り位置登録エリア情報の送信が開始される。
【００８０】
続いて、第２の実施形態にかかる移動通信システムの作用及び効果について説明する。第２の実施形態にかかる移動通信システムにおいては、多重位置登録制御を行う場合に、交換局１０６（又は１０８）において、基地局特定部１７０で、自交換局１０６と他交換局１０８とを跨る位置登録エリア１４２に割り当てられた無線ゾーン１２４を形成する基地局１５０を特定し、位置登録トラヒック量測定部１７２で、その特定された基地局１５０における移動局からの位置登録トラヒック量を測定し、情報通知指示部１７４で、その測定された位置登録トラヒック量が予め定められた閾値よりも低い場合に、特定された基地局１５０に対して、跨り位置登録エリア情報を移動局１１６へ非通知とする指示を行い、位置登録トラヒック量が閾値以上の場合に通知する指示を行うようにした。
【００８１】
従って、位置登録トラヒック量が低い場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することが可能となる。一方、位置登録トラヒック量が高い場合は、跨り位置登録エリア情報が移動局１１６へ送信されるので、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【００８２】
次に、第３の実施形態にかかる移動通信システムについて説明する。第３の実施形態の移動通信システムの構成は、上述で説明した図１および図２に示す構成と同構成であるとするが、異なる点は、基地局に接続された各交換局１０６，１０８に、図５に一方の交換局１０６を代表して示すように、交換局間信号トラヒック量測定部１８０と、基地局特定部１８２と、情報通知指示部１８４と、通信部１８６とを備えて構成したことにある。
【００８３】
交換局間信号トラヒック量測定部１８０は、他の交換局１０８との間で通信部１７６を介して通信される信号のトラヒック量（以下、交換局間信号トラヒック量という）を測定する。基地局特定部１８２は、自交換局１０６と他交換局１０８とを跨る位置登録エリア１４２に割り当てられた無線ゾーン１２４を形成する基地局１５０を特定する。
【００８４】
情報通知指示部１８４は、交換局間信号トラヒック量測定部１８０で測定される交換局間信号トラヒック量が予め定められた閾値よりも高い場合、基地局特定部１８２で特定された基地局１５０に対して、跨り位置登録エリア情報を移動局へ非通知とする指示を通信部１８６を介して行い、一方、測定される交換局間信号トラヒック量が閾値以下の場合、跨り位置登録エリア情報を移動局へ通知する指示を行う。
【００８５】
続いて、第３の実施形態にかかる移動通信システムの動作について説明し、併せて、本発明の実施形態にかかる移動通信システムにおける位置登録制御方法について説明する。但し、図１に示す第２群の移動局１１６に対して位置登録制御が行われる場合の動作を説明する。
【００８６】
移動局１１６が、跨り位置登録エリア１４２に割り当てられた無線ゾーン１２４へ移行し、位置登録信号を、無線ゾーン１２４を形成する基地局１５０を介して交換局１０６へ送信したとする。この時、交換局１０６では、交換局間信号トラヒック量測定部１８０によって、交換局間信号トラヒック量が測定されている。この測定される交換局間信号トラヒック量には、交換局間で中継される呼出信号のトラヒック量も含まれる。
【００８７】
情報通知指示部１８４によって、その測定された交換局間信号トラヒック量が閾値よりも高いと判定された場合、基地局特定部１８２で特定された基地局１５０に対して、跨り位置登録エリア情報を移動局１１６へ非通知とする指示が通信部１７６を介して行われる。この指示によって、基地局１５０では、無線ゾーン１２４に在圏する移動局１１６への跨り位置登録エリア情報の送信が停止され、第１群の位置登録エリア１３２の位置登録エリア情報のみが移動局１１６へ送信される。この場合、移動局１１６は、位置登録エリア１３２の位置登録信号を送信する。
【００８８】
その後、情報通知指示部１８４によって、交換局間信号トラヒック量測定部１８０で測定される交換局間信号トラヒック量が閾値以下と判定された場合、特定基地局１５０に対して、跨り位置登録エリア情報を移動局１１６へ通知する指示が通信部１７６を介して行われる。この指示によって、基地局１５０では、移動局１１６への跨り位置登録エリア情報の送信が開始される。
【００８９】
続いて、第３の実施形態にかかる移動通信システムの作用及び効果について説明する。第３の実施形態にかかる移動通信システムにおいては、多重位置登録制御を行う場合に、交換局１０６（又は１０８）において、交換局間信号トラヒック量測定部１８０で、自交換局１０６と他交換局との間で通信される信号のトラヒック量を測定し、情報通知指示部１８４で、その測定された交換局間信号トラヒック量が予め定められた閾値よりも高いと判定された場合に、基地局特定部１８２で特定された基地局１５０に対して、跨り位置登録エリア情報を移動局１１６へ非通知とする指示を行い、交換局間信号トラヒック量が閾値以下の場合に通知する指示を行うようにした。
【００９０】
従って、交換局間信号トラヒック量が高い場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することが可能となる。一方、交換局間信号トラヒック量が低い場合は、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【００９１】
次に、第４の実施形態にかかる移動通信システムについて説明する。第４の実施形態の移動通信システムの構成は、上述で説明した図１および図２に示す構成と同構成であるとするが、異なる点は、基地局に接続された各交換局１０６，１０８に、図６に一方の交換局１０６を代表して示すように、呼出信号トラヒック量測定部１９０と、基地局特定部１９２と、情報通知指示部１９４と、通信部１９６とを備えて構成したことにある。
【００９２】
基地局特定部１９２は、自交換局１０６と他交換局１０８とを跨る位置登録エリア１４２に割り当てられた無線ゾーン１２４を形成する基地局１５０を特定する。呼出信号トラヒック量測定部１９０は、基地局特定部１９２で特定された基地局１５０を介して移動局へ通知される呼出信号のトラヒック量を測定する。但し、呼出信号は、通信部１９６で受信されるようになっている。
【００９３】
情報通知指示部１９４は、呼出信号トラヒック量測定部１９０で測定される呼出信号トラヒック量が予め定められた閾値よりも高い場合、基地局特定部１９２で特定された基地局１５０に対して、跨り位置登録エリア情報を移動局へ非通知とする指示を通信部１９６を介して行い、一方、測定される呼出信号トラヒック量が閾値以下の場合、跨り位置登録エリア情報を移動局へ通知する指示を行う。
【００９４】
続いて、第４の実施形態にかかる移動通信システムの動作について説明し、併せて、本発明の実施形態にかかる移動通信システムにおける位置登録制御方法について説明する。但し、図１に示す第２群の移動局１１６に対して位置登録制御が行われる場合の動作を説明する。
【００９５】
移動局１１６が、跨り位置登録エリア１４２に割り当てられた無線ゾーン１２４へ移行し、位置登録信号を、無線ゾーン１２４を形成する基地局１５０を介して交換局１０６へ送信したとする。この時、交換局１０６では、呼出信号トラヒック量測定部１９０によって、呼出信号トラヒック量が測定されている。
【００９６】
情報通知指示部１９４によって、その測定された呼出信号トラヒック量が閾値よりも高いと判定された場合、基地局特定部１９２で特定された基地局１５０に対して、跨り位置登録エリア情報を移動局１１６へ非通知とする指示が通信部１９６を介して行われる。この指示によって、基地局１５０では、無線ゾーン１２４に在圏する移動局１１６への跨り位置登録エリア情報の送信が停止され、第１群の位置登録エリア１３２の位置登録エリア情報のみが移動局１１６へ送信される。この場合、移動局１１６は、位置登録エリア１３２の位置登録信号を送信する。
【００９７】
その後、情報通知指示部１９４によって、呼出信号トラヒック量測定部１９０で測定される交換局間信号トラヒック量が閾値以下と判定された場合、特定基地局１５０に対して、跨り位置登録エリア情報を移動局１１６へ通知する指示が通信部１９６を介して行われる。この指示によって、基地局１５０では、移動局１１６への跨り位置登録エリア情報の送信が開始される。
【００９８】
続いて、第４の実施形態にかかる移動通信システムの作用及び効果について説明する。第４の実施形態にかかる移動通信システムにおいては、多重位置登録制御を行う場合に、交換局１０６（又は１０８）において、呼出信号トラヒック量測定部１９０で、基地局特定部１９２で特定された基地局１５０を介して移動局１１６へ通知される呼出信号のトラヒック量を測定し、情報通知指示部１９４で、その測定されたトラヒック量が予め定められた閾値よりも高い場合に、特定基地局１５０に対して、跨り位置登録エリア情報を移動局１１６へ非通知とする指示を行い、トラヒック量が閾値以下の場合に通知する指示を行うようにした。
【００９９】
従って、呼出信号トラヒック量が高い場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することが可能となる。一方、呼出信号トラヒック量が低い場合は、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【０１００】
次に、第５の実施形態にかかる移動通信システムについて説明する。第５の実施形態の移動通信システムの構成は、上述で説明した図１および図２に示す構成と同構成であるとするが、異なる点は、各基地局１５０，１５２に、図７に一方の基地局１５０を代表して示すように、呼出信号トラヒック量測定部２００と、識別情報記憶部２０２と、情報通知制御部２０４と、無線部２０６と、通信部２０８とを備えて構成したことにある。
【０１０１】
呼出信号トラヒック量測定部２００は、通信部２０８で受信された交換局１０６から移動局へ通知される呼出信号のトラヒック量を測定する。識別情報記憶部２０２は、自基地局１５０の無線ゾーン１２４が割り当てられた第２群の位置登録エリア１４２が２つの交換局１０６，１０８に跨ることを識別する識別情報を記憶する。
【０１０２】
情報通知制御部２０４は、呼出信号トラヒック量測定部２００で測定される呼出信号トラヒック量が予め定められた閾値以上の場合、自基地局１５０の無線ゾーン１２４に在圏する移動局へ、無線ゾーン１２４が割り当てられた第１群および第２群双方の位置登録エリア１３２，１４２の位置登録エリア情報を無線部１６６から送信する制御を行い、呼出信号トラヒック量が閾値よりも低い場合、識別情報記憶部１６２の識別情報で識別される跨り位置登録エリア情報の移動局への送信を停止する制御を行う。
【０１０３】
続いて、第５の実施形態にかかる移動通信システムの動作について説明し、併せて、本発明の実施形態にかかる移動通信システムにおける位置登録制御方法について説明する。但し、図１に示す第２群の移動局１１６に対して位置登録制御が行われる場合の動作を説明する。
【０１０４】
移動局１１６が、跨り位置登録エリア１４２に割り当てられた無線ゾーン１２４へ移行し、位置登録信号を、無線ゾーン１２４を形成する基地局１５０を介して交換局１０６へ送信したとする。この時、基地局１５０では、呼出信号トラヒック量測定部２００によって、呼出信号トラヒック量が測定されている。
【０１０５】
そして、情報通知制御部２０４によって、その測定された呼出信号トラヒック量が閾値よりも高いと判定された場合、基地局１５０では、無線ゾーン１２４に在圏する移動局１１６への跨り位置登録エリア情報の送信が停止され、第１群の位置登録エリア１３２の位置登録エリア情報のみが移動局１１６へ送信される。この場合、移動局１１６は、位置登録エリア１３２の位置登録信号を送信する。
【０１０６】
その後、情報通知制御部２０４によって、呼出信号トラヒック量測定部２００で測定された位置登録トラヒック量が閾値以下となったことが判定された場合、情報通知制御部２０４の制御によって跨り位置登録エリア情報の送信が開始される。
【０１０７】
続いて、第５の実施形態にかかる移動通信システムの作用及び効果について説明する。第５の実施形態にかかる移動通信システムにおいては、多重位置登録制御を行う場合に、基地局１５０（又は１５２）において、呼出信号トラヒック量測定部２００で、交換局１０６からの呼出信号トラヒック量を測定し、情報通知制御部２０４で、その測定された呼出信号トラヒック量が予め定められた閾値よりも高い場合に、跨り位置登録エリア情報を移動局１１６へ非通知状態とし、呼出信号トラヒック量が閾値以下の場合に通知状態とするようにした。
【０１０８】
従って、呼出信号トラヒック量が高い場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することが可能となる。一方、呼出信号トラヒック量が低い場合は、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【０１０９】
次に、第６の実施形態にかかる移動通信システムについて説明する。第６の実施形態の移動通信システムの構成は、上述で説明した図１および図２に示す構成と同構成であるとするが、異なる点は、各基地局１５０，１５２に、図８に一方の基地局１５０を代表して示すように、計時部２１０と、トラヒック集中時間帯記憶部２１２と、識別情報記憶部２１４と、情報通知制御部２１６と、無線部２１８とを備えて構成したことにある。
【０１１０】
計時部２１０は、時計と同様に時刻を計時する。トラヒック集中時間帯記憶部２１２は、自基地局１５０の無線ゾーン１２４に在圏する移動局からの位置登録トラヒックが集中する時間帯（以下、位置登録トラヒック集中時間帯という）を記憶する。識別情報記憶部２１４は、自基地局１５０の無線ゾーン１２４が割り当てられた第２群の位置登録エリア１４２が２つの交換局１０６，１０８に跨ることを識別する識別情報を記憶する。
【０１１１】
情報通知制御部２１６は、計時部２１０から得られる現在時刻が、トラヒック集中時間帯記憶部２１２に記憶された位置登録トラヒック集中時間帯に該当する場合、自基地局１５０の無線ゾーン１２４に在圏する移動局へ、無線ゾーン１２４が割り当てられた第１群および第２群双方の位置登録エリア１３２，１４２の位置登録エリア情報を無線部１６６から送信する制御を行う。一方、現在時刻が位置登録トラヒック集中時間帯に該当しない場合、識別情報記憶部１６２の識別情報で識別される跨り位置登録エリア情報の移動局への送信を停止する制御を行う。
【０１１２】
続いて、第６の実施形態にかかる移動通信システムの動作について説明し、併せて、本発明の実施形態にかかる移動通信システムにおける位置登録制御方法について説明する。但し、図１に示す第２群の移動局１１６に対して位置登録制御が行われる場合の動作を説明する。
【０１１３】
移動局１１６が無線ゾーン１２４へ移行したとする。この時、基地局１５０において情報通知制御部２１６により、計時部２１０から得られる現在時刻が、トラヒック集中時間帯記憶部２１２に記憶された位置登録トラヒック集中時間帯に該当しないと判定された場合、自基地局１５０の無線ゾーン１２４に在圏する移動局１１６へ、跨り位置登録エリア情報の送信が停止され、第１群の位置登録エリア１３２の位置登録エリア情報のみが移動局１１６へ送信される。
【０１１４】
これによって、移動局１１６は、交換局１０６からの位置登録エリア情報が第２群の位置登録エリア１４１から第１群の位置登録エリア１３２の情報に変化したことを検出し、無線ゾーン１２４にて位置登録エリア１３２の位置登録信号を交換局１０６へ送信する。
【０１１５】
その後、情報通知制御部２１６によって、計時部２１０から得られる現在時刻が、トラヒック集中時間帯記憶部２１２に記憶された位置登録トラヒック集中時間帯に該当すると判定された場合、跨り位置登録エリア情報の送信が開始される。この開始によって、基地局１５０では、無線ゾーン１２４に在圏する移動局１１６へ、無線ゾーン１２４が割り当てられた第１群および第２群双方の位置登録エリア１３２，１４２の位置登録エリア情報が無線部１６６から送信される。
【０１１６】
これによって、移動局１１６は、交換局１０６からの位置登録エリア情報が跨り位置登録エリア情報に変化したことを検出し、無線ゾーン１２４にて跨り位置登録エリア１４２の位置登録信号を交換局１０６へ送信する。
【０１１７】
続いて、第６の実施形態にかかる移動通信システムの作用及び効果について説明する。第６の実施形態にかかる移動通信システムにおいては、多重位置登録制御を行う場合に、基地局１５０（又は１５２）において、予めトラヒック集中時間帯記憶部２１２に移動局からの位置登録トラヒックが所定値以上集中する時間帯を記憶しておき、計時部２１０で時刻を計時し、情報通知制御部２１６で、計時時刻がトラヒック集中時間帯記憶部２１２に記憶された時間帯に該当しない場合、跨り位置登録エリア情報を移動局１１６へ非通知状態とし、時間帯に該当する場合に通知状態とするようにした。
【０１１８】
従って、計時時刻（現在時刻）が、位置登録トラヒックが所定値以上集中する時間帯に該当しない場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することができる。一方、該当する場合、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【０１１９】
次に、第７の実施形態にかかる移動通信システムについて説明する。第７の実施形態の移動通信システムの構成は、上述で説明した図１および図２に示す構成と同構成であるとするが、異なる点は、各交換局１０６，１０８に、図９に一方の交換局１０６を代表して示すように、計時部２２０と、トラヒック集中時間帯記憶部２２２と、基地局特定部２２４と、情報通知指示部２２６と、通信部２２８とを備えて構成したことにある。
【０１２０】
計時部２２０は、時計と同様に時刻を計時する。基地局特定部２２４は、自交換局１０６と他交換局１０８とを跨る位置登録エリア１４２に割り当てられた無線ゾーン１２４を形成する基地局１５０を特定する。トラヒック集中時間帯記憶部２２２は、基地局特定部２２４で特定される基地局１５０の位置登録トラヒック集中時間帯を記憶する。
【０１２１】
情報通知指示部２２６は、計時部２２０から得られる現在時刻が、トラヒック集中時間帯記憶部２２２に記憶された位置登録トラヒック集中時間帯に該当する場合、基地局特定部２２４で特定された基地局１５０に対して、跨り位置登録エリア情報を移動局へ通知する指示を、通信部２２８を介して行い、一方、該当しない場合、跨り位置登録エリア情報を移動局へ非通知とする指示を行う。
【０１２２】
続いて、第７の実施形態にかかる移動通信システムの動作について説明し、併せて、本発明の実施形態にかかる移動通信システムにおける位置登録制御方法について説明する。但し、図１に示す第２群の移動局１１６に対して位置登録制御が行われる場合の動作を説明する。
【０１２３】
移動局１１６が、跨り位置登録エリア１４２に割り当てられた無線ゾーン１２４へ移行し、位置登録信号を、無線ゾーン１２４を形成する基地局１５０を介して交換局１０６へ送信したとする。この際、交換局１０６において、情報通知指示部２２６により、計時部２２０から得られる現在時刻が、トラヒック集中時間帯記憶部２２２に記憶された位置登録トラヒック集中時間帯に該当しない場合、基地局特定部２２４で特定された基地局１５０に対して、跨り位置登録エリア情報を移動局１１６へ非通知とする指示が通信部２２８を介して行われる。この指示によって、基地局１５０では、無線ゾーン１２４に在圏する移動局１１６への跨り位置登録エリア情報の送信が停止され、第１群の位置登録エリア１３２の位置登録エリア情報のみが移動局１１６へ送信される。この場合、移動局１１６は、位置登録エリア１３２の位置登録信号を送信する。
【０１２４】
その後、情報通知指示部２２６によって、現在時刻が位置登録トラヒック集中時間帯に該当しないと判定された場合、特定基地局１５０に対して、跨り位置登録エリア情報を移動局１１６へ通知する指示が行われる。この指示によって、基地局１５０では、移動局１１６への跨り位置登録エリア情報の送信が開始される。
【０１２５】
続いて、第７の実施形態にかかる移動通信システムの作用及び効果について説明する。第７の実施形態にかかる移動通信システムにおいては、多重位置登録制御を行う場合に、交換局１０６（又は１０８）において、基地局特定部２２４で、自交換局１０６と他交換局とを跨る位置登録エリア１４２に割り当てられた無線ゾーン１２４を形成する基地局１５０を特定し、計時部２２０で時刻を計時し、情報通知指示部２２６で、計時時刻がトラヒック集中時間帯記憶部２２２に記憶された位置登録トラヒック集中時間帯に該当しない場合、特定基地局１５０に対して、跨り位置登録エリア情報を移動局１１６へ非通知とする指示を行い、該当する場合に通知する指示を行うようにした。
【０１２６】
従って、計時時刻（現在時刻）が、位置登録トラヒックが所定値以上集中する時間帯に該当しない場合に、位置登録を行った移動局について、呼び出すエリアが交換局を跨らないので、各交換局１０６，１０８において呼出信号を中継する必要性を減らすことができる。その結果、各交換局１０６，１０８間の信号トラヒックおよび交換局の信号処理負荷を抑制することができる。一方、該当する場合、跨り位置登録エリア情報が移動局１１６へ送信されるので、移動局１１６が位置登録信号を送信する無線ゾーンを、複数の無線ゾーン１２４，１２５に分散することができる。その結果、移動局が特定時間などに集中する無線ゾーンでの位置登録トラヒックの集中を抑制することが可能となる。
【０１２７】
【発明の効果】
本発明の移動通信システムおよび移動通信システムにおける位置登録制御方法は、多重位置登録制御が適用された移動通信システムにおいて、基地局が、移動局からの位置登録トラヒック量を測定し、この測定された位置登録トラヒック量が予め定められた閾値よりも低い場合に、多重化された位置登録エリアのうち複数の交換局に跨る位置登録エリアの位置登録エリア情報を移動局へ非通知状態とし、位置登録トラヒック量が閾値以上の場合に通知状態とするようにした。つまり、位置登録トラヒック量が低い場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、位置登録トラヒック量が高い場合は、跨り位置登録エリア情報を移動局へ送信するようにしたので、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【０１２８】
また、本発明の移動通信システムおよび移動通信システムにおける位置登録制御方法は、複数の交換局に跨る位置登録エリアに割り当てられた各無線ゾーンの内、無線ゾーンを形成する基地局に、上記の位置登録トラヒック量の測定および通知状態／非通知状態の制御に加え、測定された位置登録トラヒック量が閾値よりも低いか閾値以上かの判定結果を、複数の交換局を介して他の無線ゾーンを形成する基地局に通知する手段を備え、他の無線ゾーンを形成する基地局には、通知された判定結果に応じて非通知状態および通知状態を制御する手段を備えることにより、複数の交換局に跨る位置登録エリアに割り当てられた各無線ゾーンの内、１つの無線ゾーンを形成する基地局を除く他の基地局には測定手段が不要となるので、その分、移動通信システム全体の構成を簡略化することが可能となる。
【０１２９】
また、本発明の移動通信システムおよび移動通信システムにおける位置登録制御方法は、多重位置登録制御が適用された移動通信システムにおいて、交換局が、自交換局と他交換局とを跨る位置登録エリアに割り当てられた無線ゾーンを形成する基地局を特定し、この特定された基地局における移動局からの位置登録トラヒック量を測定し、この測定された位置登録トラヒック量が予め定められた閾値よりも低い場合に、特定手段で特定された基地局に対して、自交換局と他交換局とを跨る位置登録エリアの位置登録エリア情報を移動局へ非通知とする指示を行い、位置登録トラヒック量が閾値以上の場合に通知する指示を行うようにした。つまり、位置登録トラヒック量が低い場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、位置登録トラヒック量が高い場合は、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【０１３０】
また、本発明の移動通信システムおよび移動通信システムにおける位置登録制御方法は、多重位置登録制御が適用された移動通信システムにおいて、交換局が、自交換局と他交換局とを跨る位置登録エリアに割り当てられた無線ゾーンを形成する基地局を特定し、自交換局と他交換局との間で通信される信号のトラヒック量を測定し、この測定されたトラヒック量が予め定められた閾値よりも高い場合に、特定手段で特定された基地局に対して、自交換局と他交換局とを跨る位置登録エリアの位置登録エリア情報を移動局へ非通知とする指示を行い、トラヒック量が閾値以下の場合に通知する指示を行うようにした。つまり、交換局間信号トラヒック量が高い場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、交換局間信号トラヒック量が低い場合は、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【０１３１】
また、本発明の移動通信システムおよび移動通信システムにおける位置登録制御方法は、多重位置登録制御が適用された移動通信システムにおいて、交換局が、自交換局と他交換局とを跨る位置登録エリアに割り当てられた無線ゾーンを形成する基地局を特定し、この特定された基地局を介して移動局へ通知される呼出信号のトラヒック量を測定し、この測定されたトラヒック量が予め定められた閾値よりも低い場合に、特定された基地局に対して、自交換局と他交換局とを跨る位置登録エリアの位置登録エリア情報を移動局へ非通知とする指示を行い、トラヒック量が閾値以上の場合に通知する指示を行うようにした。つまり、呼出信号トラヒック量が高い場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、呼出信号トラヒック量が低い場合は、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【０１３２】
また、本発明の移動通信システムおよび移動通信システムにおける位置登録制御方法は、多重位置登録制御が適用された移動通信システムにおいて、基地局が、交換局からの呼出信号トラヒック量を測定し、この測定された呼出信号トラヒック量が予め定められた閾値よりも高い場合に、多重化された位置登録エリアのうち複数の交換局に跨る位置登録エリアの位置登録エリア情報を移動局へ非通知状態とし、呼出信号トラヒック量が閾値以下の場合に通知状態とするようにした。つまり、移動局への呼出信号トラヒック量が高い場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、呼出信号トラヒック量が低い場合は、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【０１３３】
また、本発明の移動通信システムおよび移動通信システムにおける位置登録制御方法は、多重位置登録制御が適用された移動通信システムにおいて、基地局が、時刻を計時し、移動局からの位置登録トラヒックが所定値以上集中する時間帯を記憶し、その計時時刻が記憶された時間帯に該当しない場合、多重化された位置登録エリアのうち複数の交換局に跨る位置登録エリアの位置登録エリア情報を移動局へ非通知状態とし、時間帯に該当する場合に通知状態とするようにした。つまり、計時時刻（現在時刻）が、位置登録トラヒックが所定値以上集中する時間帯に該当しない場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、該当する場合、跨り位置登録エリア情報を移動局へ送信するようにしたので、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【０１３４】
また、本発明の移動通信システムおよび移動通信システムにおける位置登録制御方法は、多重位置登録制御が適用された移動通信システムにおいて、交換局が、自交換局と他交換局とを跨る位置登録エリアに割り当てられた無線ゾーンを形成する基地局を特定し、時刻を計時し、特定される基地局の位置登録トラヒックが所定値以上集中する時間帯を記憶し、計時時刻が記憶手段に記憶された時間帯に該当しない場合、特定手段で特定された基地局に対して、自交換局と他交換局とを跨る位置登録エリアの位置登録エリア情報を移動局へ非通知とする指示を行い、時間帯に該当する場合に通知する指示を行うようにした。つまり、計時時刻（現在時刻）が、位置登録トラヒックが所定値以上集中する時間帯に該当しない場合に、位置登録を行った移動局について、呼び出すエリアが交換局を跨らないので、複数の交換局において呼出信号を中継する必要性を減らすことができる。その結果、各交換局間の信号トラヒックおよび交換局の信号処理負荷を抑制することが可能となる。一方、該当する場合、移動局が位置登録信号を送信する無線ゾーンを、複数の無線ゾーンに分散することができる。その結果、移動局が特定時間などに集中する無線ゾーンでの位置登録トラヒックの集中を抑制することが可能となる。
【図面の簡単な説明】
【図１】本発明の移動通信システムの構成図である。
【図２】移動通信システムにおいて基地局を示す図である。
【図３】基地局の構成図である。
【図４】交換局の構成図である。
【図５】交換局の構成図である。
【図６】交換局の構成図である。
【図７】基地局の構成図である。
【図８】基地局の構成図である。
【図９】交換局の構成図である。
【図１０】従来の移動通信システムの構成図である。
【図１１】従来の多重位置登録制御が適用された移動通信システムの第１の構成図である。
【図１２】従来の多重位置登録制御が適用された移動通信システムの第２の構成図である。
【符号の説明】
１００…移動通信システム、１０４，１０６，１０８…交換局、１１４…第１群の移動局、１１６…第２群の移動局、１２１〜１２８…無線ゾーン、１３１〜１３４…第１群の位置登録エリア、１４０〜１４４…第２群の位置登録エリア、１５０，１５２…基地局、１６０，１７２…位置登録トラヒック量測定部、１６２，２０２，２１４…識別情報記憶部、１６４，２０４，２１６…情報通知制御部、１７０，１８２，１９２，２２４…基地局特定部、１７４，１８４，１９４，２２６…情報通知指示部、１８０…交換局間信号トラヒック量測定部、１９０，２００…呼出信号トラヒック量測定部、２１０，２２０…計時部、２１２，２２２…トラヒック集中時間帯記憶部
【図１】
0003842584.tif 000002
【図２】
0003842584.tif 000003
【図３】
0003842584.tif 000004
【図４】
0003842584.tif 000005
【図５】
0003842584.tif 000006
【図６】
0003842584.tif 000007
【図７】
0003842584.tif 000008
【図８】
0003842584.tif 000009
【図９】
0003842584.tif 000010
【図１０】
0003842584.tif 000011
【図１１】
0003842584.tif 000012
【図１２】
0003842584.tif 000013